(57)【要約】【課題】信頼性の向上及び大型化の抑制が両立された口腔内センサを提供する。【解決手段】口腔内センサ１は、イメージセンサ５と、ＦＯＰ６と、シンチレータ７と、ケース８と、を備えている。ＦＯＰ６は、イメージセンサ５上に配置されている。シンチレータ７は、ＦＯＰ６上に配置されている。ＦＯＰ６は、第一主面６１と、第二主面６２と、複数の側面６３と、を有している。第一主面６１及び第二主面６２は、多角形状を呈している。それぞれの側面６３は、第一主面６１の縁６４と第二主面６２の縁６５とを連結している。第二主面６２の縁６５は、複数の角部６５ａと、互いに隣り合う角部６５ａを連結している複数の辺部６５ｂとで構成されている。シンチレータ７は、各角部６５ａと、互いに隣り合う側面６３で構成される各稜部６３ａとが露出するように、第二主面６２と複数の側面６３とに設けられている。【選択図】図５
2019045175.tif 000002
【特許請求の範囲】
【請求項１】
光検出領域を有するイメージセンサと、
前記光検出領域を覆うように、前記イメージセンサ上に配置されているファイバオプティカルプレートと、
ファイバオプティカルプレート上に配置されているシンチレータと、
前記イメージセンサと、前記ファイバオプティカルプレートと、前記シンチレータとを収容しているケースと、を備え、
前記ファイバオプティカルプレートは、
前記イメージセンサと対向していると共に、多角形状を呈している第一主面と、
前記シンチレータと対向していると共に、多角形状を呈している第二主面と、
前記第一主面の縁と前記第二主面の縁とを連結している複数の側面と、を有し、
前記第二主面の前記縁は、複数の角部と、互いに隣り合う前記角部を連結している複数の辺部とで構成されており、
前記シンチレータは、各前記角部と、互いに隣り合う前記側面で構成される各稜部とが露出するように、前記第二主面と前記複数の側面とに設けられている、口腔内センサ。
【請求項２】
前記シンチレータは、ＣｓＩを主成分とするシンチレータ材料からなる、請求項１に記載の口腔内センサ。
【請求項３】
前記イメージセンサと、前記ファイバオプティカルプレートと、前記シンチレータとを含む構造体と、前記ケースとの間に配置され、前記構造体と接触する緩衝材を更に備える、請求項１又は２に記載の口腔内センサ。
【請求項４】
イメージセンサとファイバオプティカルプレートとシンチレータとを含む構造体と、前記構造体を収容しているケースとを備える口腔内センサの製造方法であって、
前記ファイバオプティカルプレートとして、
多角形状を呈している第一主面と、前記第一主面と対向していると共に多角形状を呈している第二主面と、前記第一主面の縁と前記第二主面の縁とを連結している複数の側面と、を有し、
前記第二主面の前記縁が、複数の角部と、互いに隣り合う前記角部を連結している複数の辺部とで構成されている、ファイバオプティカルプレートを準備し、
前記シンチレータを、各前記角部と、互いに隣り合う前記側面で構成される各稜部とが露出するように、前記第二主面と前記複数の側面とに設ける、口腔内センサの製造方法。
【請求項５】
前記シンチレータを設ける際に、
前記ファイバオプティカルプレートを支持する治具で、前記複数の角部を覆い、
前記治具をマスクとして、前記シンチレータを構成するシンチレータ材料を蒸着する、請求項４に記載の口腔内センサの製造方法。
【請求項６】
前記シンチレータ材料は、ＣｓＩを主成分とする、請求項５に記載の口腔内センサの製造方法。
【発明の詳細な説明】
【技術分野】
【０００１】
本発明は、口腔内センサ、及び口腔内センサの製造方法に関する。
【背景技術】
【０００２】
イメージセンサと、ファイバオプティカルプレートと、シンチレータと、イメージセンサ、ファイバオプティカルプレート、及びシンチレータを収容しているケースと、を備える口腔内センサが知られている（例えば特許文献１参照）。特許文献１に記載された口腔内センサでは、シンチレータがファイバオプティカルプレート上に配置されている。
【先行技術文献】
【特許文献】
【０００３】
【特許文献１】米国特許第９３５７９７２号明細書
【発明の概要】
【発明が解決しようとする課題】
【０００４】
口腔内センサでは、一般に、ファイバオプティカルプレートは、平面視で、多角形状を呈している。ファイバオプティカルプレートの外縁及びシンチレータの外縁は、ファイバオプティカルプレートに直交する方向から見て、一致している。口腔内センサが外部から衝撃を受けた場合、その衝撃は、ケースを介してシンチレータに伝わる。この場合、シンチレータにおける、ファイバオプティカルプレートの角上に位置している部分が、ファイバオプティカルプレートから剥がれるおそれがある。シンチレータがファイバオプティカルプレートから剥がれてしまうと、口腔内センサの信頼性が低下する。
【０００５】
特許文献１に記載された口腔内センサでは、ケースとファイバオプティカルプレートとの間隔がファイバオプティカルプレートの角部に対応する位置で拡大するように、ケースの形状が設定されている。したがって、外部からの衝撃が、シンチレータに伝わり難い。しかしながら、ケースの形状が上述されたように設定された場合には、ケースの外形が大きく、口腔内センサの大型化は避けられない。
【０００６】
本発明の第一の態様は、信頼性の向上及び大型化の抑制が両立された口腔内センサを提供することを目的とする。本発明の第二の態様は、信頼性の向上及び大型化の抑制が両立された口腔内センサの製造方法を提供することを目的とする。
【課題を解決するための手段】
【０００７】
本発明の第一の態様に係る口腔内センサは、光検出領域を有するイメージセンサと、光検出領域を覆うように、イメージセンサ上に配置されているファイバオプティカルプレートと、ファイバオプティカルプレート上に配置されているシンチレータと、イメージセンサと、ファイバオプティカルプレートと、シンチレータとを収容しているケースと、を備えている。ファイバオプティカルプレートは、イメージセンサと対向していると共に、多角形状を呈している第一主面と、多角形状を呈している第二主面と、第一主面の縁と第二主面の縁とを連結している複数の側面と、を有している。第二主面は、シンチレータと対向している。第二主面の縁は、複数の角部と、互いに隣り合う角部を連結している複数の辺部とで構成されている。シンチレータは、各角部と、互いに隣り合う側面で構成される各稜部とが露出するように、第二主面と複数の側面とに設けられている。
【０００８】
本第一の態様では、シンチレータが、ファイバオプティカルプレートの各角部と各稜部とが露出するように、第二主面と複数の側面とに設けられているので、シンチレータは、ファイバオプティカルプレートの各角部上及び各稜部上に位置していない。したがって、口腔内センサが外部から衝撃を受けた場合でも、当該衝撃がシンチレータに伝わり難く、シンチレータは剥がれ難い。この結果、本第一の態様では、シンチレータの剥がれを抑制する目的で、ケースの外形が大きくされる必要はなく、口腔内センサの大型化が抑制される。上述したように、シンチレータが剥がれ難いので、本第一の態様では、口腔内センサの信頼性が向上している。
【０００９】
本第一の態様では、シンチレータは、ＣｓＩを主成分とするシンチレータ材料からなっていてもよい。この場合、シンチレータを蒸着により形成することが可能であるため、シンチレータを容易に設けることができる。
【００１０】
本第一の態様は、イメージセンサと、ファイバオプティカルプレートと、シンチレータとを含む構造体と、ケースとの間に配置され、構造体と接触する緩衝材を更に備えていてもよい。この構成によれば、口腔内センサが受ける外部からの衝撃が、シンチレータに伝わり難い。したがって、シンチレータの剥がれがより一層確実に抑制される。
【００１１】
本発明の第二の態様に係る口腔内センサの製造方法は、イメージセンサとファイバオプティカルプレートとシンチレータとを含む構造体と、構造体を収容しているケースとを備える口腔内センサの製造方法であって、ファイバオプティカルプレートとして、多角形状を呈している第一主面と、第一主面と対向していると共に多角形状を呈している第二主面と、第一主面の縁と第二主面の縁とを連結している複数の側面と、を有し、第二主面の縁が、複数の角部と、互いに隣り合う角部を連結している複数の辺部とで構成されている、ファイバオプティカルプレートを準備し、シンチレータを、各角部と、互いに隣り合う側面で構成される各稜部とが露出するように、第二主面と複数の側面とに設ける。
【００１２】
本第二の態様では、シンチレータが、ファイバオプティカルプレートの各角部と各稜部とが露出するように、第二主面と複数の側面とに設けられる。したがって、上述したように、大型化が抑制されていると共に信頼性が向上している口腔内センサが得られる。
【００１３】
本第二の態様では、シンチレータを設ける際に、ファイバオプティカルプレートを支持する治具で、複数の角部を覆い、治具をマスクとして、シンチレータを構成するシンチレータ材料を蒸着してもよい。この場合、複数の角部を覆うマスクを新たに用意する必要がない。したがって、口腔内センサの製造工程が簡素化される。
【００１４】
本第二の態様では、シンチレータ材料は、ＣｓＩを主成分としてもよい。この場合、蒸着によるシンチレータの形成が簡易である。
【発明の効果】
【００１５】
本発明の第一の態様によれば、信頼性の向上及び大型化の抑制が両立された口腔内センサが提供される。本発明の第二の態様によれば、信頼性の向上及び大型化の抑制が両立された口腔内センサの製造方法が提供される。
【図面の簡単な説明】
【００１６】
【図１】一実施形態に係る口腔内センサの平面図である。
【図２】口腔内センサの正面図である。
【図３】口腔内センサの底面図である。
【図４】図３のIV−IV線に沿っての断面図である。
【図５】口腔内センサの内部構造を示す図である。
【図６】図５のVI−VI線に沿っての断面図である。
【図７】図５のVII−VII線に沿っての断面図である。
【図８】口腔内センサの製造方法を示す図である。
【図９】口腔内センサの製造方法を示す図である。
【図１０】口腔内センサの製造方法を示す図である。
【図１１】口腔内センサの製造方法を示す図である。
【図１２】口腔内センサの変形例を示す図である。
【図１３】口腔内センサの製造方法の変形例を示す図である。
【発明を実施するための形態】
【００１７】
以下、添付図面を参照して、本発明の実施形態について詳細に説明する。なお、説明において、同一要素又は同一機能を有する要素には、同一符号を用いることとし、重複する説明は省略する。
【００１８】
図１〜図７を参照して、本実施形態に係る口腔内センサ１の構成を説明する。図１は、本実施形態に係る口腔内センサ１の平面図である。図２は、口腔内センサ１の正面図である。図３は、口腔内センサ１の底面図である。図４は、図３のIV−IV線に沿っての断面図である。図５は、口腔内センサ１の内部構造を示す図である。図６は、図５のVI−VI線に沿っての断面図である。図７は、図５のVII−VII線に沿っての断面図である。
【００１９】
口腔内センサ１は、図１〜図３に示されるように、本体部２と、配線ケーブル３と、を備えている。本体部２は、検出面２１を有している。配線ケーブル３は、本体部２に固定され、本体部２に電気的に接続されている。配線ケーブル３は、本体部２の検出面２１とは反対側に脱着可能に固定されている。
【００２０】
本体部２は、図４に示されるように、支持基板４と、イメージセンサ５と、ＦＯＰ（ファイバオプティカルプレート）６と、シンチレータ７と、配線基板１１と、ＩＣ１２と、コネクタ１３と、ケース８と、緩衝材９と、を備えている。
【００２１】
支持基板４は、図４及び図５に示されるように、多角形板状を呈している。支持基板４は、第一主面４１と、第二主面４２と、複数の側面４３と、を有している。第一主面４１は、多角形状を呈している。第一主面４１は、例えば六角形状を呈している。第二主面４２は、多角形状を呈している。第二主面４２は、例えば六角形状を呈している。
【００２２】
第一主面４１上には、配線基板１１が配置されている。配線基板１１上には、ＩＣ１２及びコネクタ１３が配置されている。第二主面４２上には、配線（Ａ／Ｄ変換器等の回路）、及びイメージセンサ５が配置されている。イメージセンサ５上には、ＦＯＰ６が配置されている。ＦＯＰ６上には、シンチレータ７が配置されている。支持基板４の材料は、例えばガラス又はＳｉである。
【００２３】
イメージセンサ５は、ＣＭＯＳイメージセンサである。イメージセンサ５は、多角形板状を呈している。イメージセンサ５は、第一主面５１と、第二主面５２と、複数の側面５３と、を有している。第一主面５１は、支持基板４と対向している。第一主面５１は、多角形状を呈している。第一主面５１は、例えば六角形状を呈している。第二主面５２は、ＦＯＰ６と対向している。第二主面５２は、多角形状を呈している。第二主面５２は、例えば六角形状を呈している。
【００２４】
第一主面５１の縁５４と第二主面５２の縁５５とは、第一主面５１及び第二主面５２に直交する方向であるＺ軸方向（第一方向）から見た場合に、互いに重なっている。それぞれの側面５３は、第一主面５１の縁５４と第二主面５２の縁５５とを連結している。互いに隣り合う側面５３は、複数の稜部５３ａを構成している。
【００２５】
Ｚ軸に直交するＸ軸方向（第二方向）におけるイメージセンサ５の幅は、３３．９２ｍｍである。Ｚ軸及びＸ軸に直交するＹ軸方向（第三方向）におけるイメージセンサ５の幅は、２１．６ｍｍである。イメージセンサ５の厚さは、数μｍ〜数十μｍである。Ｚ軸方向から見た場合に、Ｘ軸方向におけるイメージセンサ５の配線ケーブル３側の側面５３は、支持基板４の側面４３よりも内側に設けられている。Ｚ軸方向から見た場合に、イメージセンサ５の他の側面５３は、支持基板４の他の側面４３と重なっている。
【００２６】
イメージセンサ５は、光検出領域５ａを有している。光検出領域５ａは、所定の画素ピッチで２次元に配列された複数の画素から構成されている。光検出領域５ａは、多角形状を呈している。光検出領域５ａは、例えば六角形状を呈している。光検出領域５ａは、Ｚ軸方向から見た場合に、イメージセンサ５の外縁よりも内側に設けられている。光検出領域５ａは、Ｚ軸方向から見た場合に、イメージセンサ５の第一主面５１及び第二主面５２のそれぞれの縁５４，５５よりも内側に設けられている。光検出領域５ａ（画素）は、入射光に応じて電荷が発生する電荷発生領域（光感応領域）である。
【００２７】
Ｘ軸方向における光検出領域５ａの幅は、３０ｍｍである。Ｙ軸方向における光検出領域５ａの幅は、２０ｍｍである。イメージセンサ５は、光検出領域５ａにより光像を撮像して、得られた画像を出力画像信号として出力する。イメージセンサ５は、ワイヤ１４によって支持基板４の第二主面４２上に配置された配線と電気的に接続されている。
【００２８】
ＦＯＰ６は、イメージセンサ５の光検出領域５ａを覆っている。ＦＯＰ６は、所定の配列ピッチで２次元配列された複数の光ファイバを有し、これらの光ファイバを束状にすることで光像を伝送可能に構成された光学素子である。ＦＯＰ６は、複数の光ファイバの一方の端面から構成される入力端面と、他方の端面から構成される出力端面とを有し、入力端面から入力された撮像対象となる光像を出力端面へと伝送するように構成されている。
【００２９】
ＦＯＰ６は、多角形板状を呈している。ＦＯＰ６は、第一主面６１と、第二主面６２と、複数の側面６３と、を有している。第一主面６１は、イメージセンサ５と対向している。第一主面６１は、多角形状を呈している。第一主面６１は、例えば六角形状を呈している。第二主面６２は、シンチレータ７と対向している。第二主面６２は、多角形状を呈している。第二主面６２は、例えば六角形状を呈している。
【００３０】
第一主面６１の縁６４と第二主面６２の縁６５とは、Ｚ軸方向から見た場合に、互いに重なっている。第二主面６２の縁６５は、複数の角部６５ａと、互いに隣り合う角部６５ａを連結している複数の辺部６５ｂとで構成されている。角部６５ａは、第二主面６２の縁６５の一部である。角部６５ａは、第二主面６２の縁６５の角の頂点から所定の長さを有する線分である。角部６５ａの長さは、０．９ｍｍである。それぞれの側面６３は、第一主面６１の縁６４と第二主面６２の縁６５とを連結している。互いに隣り合う側面６３は、複数の稜部６３ａを構成している。
【００３１】
Ｘ軸方向におけるＦＯＰ６の幅は、３３ｍｍである。Ｙ軸方向におけるＦＯＰ６の幅は、２１．８ｍｍである。ＦＯＰ６の厚さは、１．５ｍｍである。Ｚ軸方向から見た場合に、Ｘ軸方向におけるＦＯＰ６の配線ケーブル３側の側面６３は、イメージセンサ５の側面５３よりも内側に設けられている。Ｚ軸方向から見た場合に、ＦＯＰ６の他の側面６３は、イメージセンサ５の他の側面５３と重なっている。
【００３２】
シンチレータ７は、イメージセンサ５の光検出領域５ａを覆うように、ＦＯＰ６の第二主面６２と複数の側面６３とに設けられている。シンチレータ７は、ＦＯＰ６の第二主面６２上において広がっており、第二主面６２の縁６５を介して複数の側面６３上に至っている。シンチレータ７は、放射線の入射により蛍光（シンチレーション光）を発する。
【００３３】
シンチレータ７は、図５及び図６に示されるように、ＦＯＰ６の第二主面６２から辺部６５ｂを介して側面６３に至っている。シンチレータ７は、ＦＯＰ６の各角部６５ａには設けられていない。シンチレータ７は、図５及び図７に示されるように、ＦＯＰ６の第二主面６２において、角部６５ａよりも内側に設けられている。シンチレータ７は、ＦＯＰ６の第二主面６２において、各角部６５ａにより挟まれた領域６５ｃには設けられていない。ＦＯＰ６の第二主面６２における各角部６５ａにより挟まれた領域６５ｃは、露出している。
【００３４】
シンチレータ７は、ＦＯＰ６の各稜部６３ａには設けられていない。シンチレータ７は、ＦＯＰ６の側面６３において、稜部６３ａに至っていない。シンチレータ７は、ＦＯＰ６の側面６３における各稜部６３ａからの所定範囲の領域には、設けられていない。ＦＯＰ６の側面６３における各稜部６３ａからの所定範囲の領域は、露出している。ＦＯＰ６の側面６３における各稜部６３ａからの所定範囲の領域は、例えば各稜部６３ａから角部６５ａの長さと同等な距離までの範囲である。
【００３５】
以上のように、シンチレータ７は、ＦＯＰ６の各角部６５ａと各稜部６３ａとが露出するように、ＦＯＰ６の第二主面６２と複数の側面６３とに設けられている。シンチレータ７の厚さは、１００μｍである。シンチレータ７は、ＣｓＩ：ＴｌやＣｓＩ：ＮａといったＣｓＩ（ヨウ化セシウム）を主成分とするシンチレータ材料からなっている。ＣｓＩは、多数の針状結晶（柱状結晶）が林立した構造を有している。
【００３６】
再び、図４及び図５を参照する。配線基板１１は、支持基板４の第一主面４１上に配置されている。配線基板１１は、表面に電極及び配線等が配置されたプリント基板である。配線基板１１の表面上に配置された電極又は配線は、支持基板４上に配置された配線と電気的に接続されている。つまり、配線基板１１に配置された電極又は配線は、イメージセンサ５と電気的に接続されている。
【００３７】
配線基板１１は、多角形板状を呈している。Ｚ軸方向から見た場合に、配線基板１１のそれぞれの側面は、支持基板４のそれぞれの側面４３と重なっている。配線基板１１の厚さは、１ｍｍである。
【００３８】
ＩＣ１２は、配線基板１１上に配置されている。ＩＣ１２は、配線基板１１に配置された電極又は配線を介して、イメージセンサ５と電気的に接続されている。コネクタ１３は、配線基板１１上に配置されている。コネクタ１３は、ＩＣ１２と電気的に接続されている。
【００３９】
ケース８は、支持基板４と、イメージセンサ５と、ＦＯＰ６と、シンチレータ７と、配線基板１１と、ＩＣ１２と、コネクタ１３と、を収容している。ケース８の内部空間は、Ｚ軸方向から見た場合に、イメージセンサ５、ＦＯＰ６、及びシンチレータ７を含む構造体の外縁に沿うように形成されている。
【００４０】
ケース８は、第一ケース８１と、第二ケース８２と、を有している。第一ケース８１には、配線ケーブル３を固定する固定部８３が設けられている。第一ケース８１及び第二ケース８２は、互いに係合されている。ケース８の材料は、例えば耐衝撃性を有するＡＢＳ樹脂等である。
【００４１】
緩衝材９は、イメージセンサ５と、ＦＯＰ６と、シンチレータ７とを含む構造体と、ケース８との間に配置されている。緩衝材９は、当該構造体と接触している。緩衝材９は、少なくとも、Ｘ軸方向における当該構造体の配線ケーブル３の導出方向とは反対側とケース８との間に配置されている。この場合、Ｘ軸方向における当該構造体の配線ケーブル３の導出方向とは反対側とケース８との間には、緩衝材９が配置される５００μｍの隙間が設けられている。緩衝材９は、Ｚ軸方向から見た場合に、イメージセンサ５と、ＦＯＰ６と、シンチレータ７とを含む構造体の全周に亘って配置されていてもよい。この場合、Ｙ軸方向における当該構造体の両側とケース８との間には、それぞれ緩衝材９が配置される２００μｍの隙間が設けられている。緩衝材９の材料は、例えばシリコーンゴム等である。
【００４２】
配線ケーブル３は、ケース８の固定部８３に固定されている。配線ケーブル３は、コネクタ１３と電気的に接続されている。配線ケーブル３は、ＵＳＢケーブルであり、本体部２を例えばＰＣに接続している。配線ケーブル３は、固定部８３に脱着可能に固定されている。
【００４３】
以上のように構成された口腔内センサ１は、患者の口腔内に挿入され、本体部２の検出面２１が歯や歯茎を介して口腔外に配置された放射線源に対向するように配置される。放射線源から放射線が放射されると、放射線が歯や歯茎を透過してシンチレータ７に入射する。シンチレータ７は、入射された放射線の強度に応じて蛍光を発する。この蛍光は、ＦＯＰ６によってイメージセンサ５の光検出領域５ａに伝達され、イメージセンサ５において電気信号に変換される。イメージセンサ５で変換された電気信号は、ワイヤ１４、支持基板４、配線基板１１、及び配線ケーブル３等を介して、ＰＣに送信される。この電気信号は、ＰＣにおいて歯や歯茎の透視画像に変換される。
【００４４】
以上説明したように、口腔内センサ１では、シンチレータ７が、ＦＯＰ６の各角部６５ａと各稜部６３ａとが露出するように、第二主面６２と複数の側面６３とに設けられているので、シンチレータ７は、ＦＯＰ６の各角部６５ａ上及び各稜部６３ａ上に位置していない。したがって、口腔内センサ１が外部から衝撃を受けた場合でも、当該衝撃がシンチレータ７に伝わり難く、シンチレータ７は剥がれ難い。この結果、シンチレータ７の剥がれを抑制する目的で、ケース８の外形が大きくされる必要はなく、口腔内センサ１の大型化が抑制される。上述したように、シンチレータ７が剥がれ難いので、口腔内センサ１の信頼性が向上している。
【００４５】
口腔内センサ１のようにシンチレータ７がＦＯＰ６の側面６３にも設けられている場合には、口腔内センサ１の外部からの衝撃がシンチレータ７に伝わりやすい。このため、シンチレータ７が、ＦＯＰ６の各角部６５ａ上及び各稜部６３ａから剥がれやすくなる。口腔内センサ１では、上述したように、シンチレータ７が、ＦＯＰ６の各角部６５ａ上及び各稜部６３ａ上に位置していないので、ＦＯＰ６から剥がれ難い。すなわち、シンチレータ７がＦＯＰ６の側面６３にも設けられている場合には、上述したようなシンチレータ７が剥がれ難い効果が特に顕著となる。
【００４６】
口腔内センサ１では、シンチレータ７が、ＣｓＩを主成分とするシンチレータ材料からなっている。この場合、シンチレータ７を蒸着により形成することが可能であるため、シンチレータ７を容易に設けることができる。また、ＣｓＩは、多数の針状結晶が林立した構造を有している。粒状結晶に比べて、それぞれの針状結晶により発された光は、周囲に広がりにくい。これにより、それぞれの針状結晶により発された光がより正確にそれぞれの針状結晶に対応するイメージセンサ５の位置に伝達される。よって、イメージセンサ５の画像の解像度を向上させることができる。
【００４７】
口腔内センサ１では、緩衝材９が、イメージセンサ５と、ＦＯＰ６と、シンチレータ７とを含む構造体と、ケース８との間に配置されている。この構成によれば、口腔内センサ１が受ける外部からの衝撃が、シンチレータ７に伝わり難い。したがって、シンチレータ７の剥がれがより一層確実に抑制される。
【００４８】
次に、図８〜図１１を参照して、本実施形態に係る口腔内センサ１の製造方法を説明する。図８〜図１１は、口腔内センサ１の製造方法を示す図である。なお、図８及び図９において、（ａ）は、正面図であって、（ｂ）は、底面図である。図８に示されるように、まず、ＦＯＰ６を準備する。続いて、図９に示されるように、ＦＯＰ６を、Ａ方向に沿ってチャンバー２０内に配置された治具３０に載置する。治具３０は、ＦＯＰ６の各角部６５ａを覆うような形状となっている。治具３０は、ＦＯＰ６の第二主面６２における各角部６５ａにより挟まれた領域６５ｃを覆うような形状となっている。
【００４９】
続いて、図１０に示されるように、シンチレータ７を設ける。具体的には、シンチレータ７を、ＦＯＰ６の各角部６５ａと各稜部６３ａとが露出するように、第二主面６２と複数の側面６３とに設ける。シンチレータ７を設ける際には、ＦＯＰ６を支持する治具３０で、複数の角部６５ａを覆い、治具３０をマスクとして、シンチレータ７を構成するシンチレータ材料を蒸着する。この際、シンチレータ７は、ＦＯＰ６の辺部６５ｂを構成する側面６３にも蒸着される。シンチレータ材料は、ＣｓＩを主成分としている。続いて、Ｂ方向に沿ってＦＯＰ６を治具３０から外すと、図１１に示さるように、シンチレータ７が蒸着されたＦＯＰ６が得られる。
【００５０】
続いて、シンチレータ７が蒸着されたＦＯＰ６を支持基板４上に配置されたイメージセンサ５上に配置する。なお、支持基板４は、イメージセンサ５の製造工程においてイメージセンサ５を支える基板である。続いて、支持基板４、イメージセンサ５、ＦＯＰ６、及びシンチレータ７を、ケース８の第一ケース８１内に収容する。この際、第一ケース８１には、ＩＣ１２及びコネクタ１３が配置された配線基板１１がすでに収容されている。
【００５１】
続いて、支持基板４と配線基板１１とを固定すると共に、支持基板４に配置された配線と配線基板１１に配置された電極又は配線とを電気的に接続する。続いて、ワイヤ１４によって、支持基板４に配置された配線とイメージセンサ５とを電気的に接続する。続いて、第二ケース８２を第一ケース８１に係合させる。続いて、配線ケーブル３を、ケース８の固定部８３に装着して固定すると共に、コネクタ１３と電気的に接続する。
【００５２】
以上説明したように、口腔内センサ１の製造方法によれば、シンチレータ７が、ＦＯＰ６の各角部６５ａと各稜部６３ａとが露出するように、第二主面６２と複数の側面６３とに設けられる。したがって、上述したように、大型化が抑制されていると共に信頼性が向上している口腔内センサ１が得られる。
【００５３】
口腔内センサ１の製造方法では、シンチレータ７を設ける際に、ＦＯＰ６を支持する治具３０で、複数の角部６５ａを覆い、治具３０をマスクとして、シンチレータ７を構成するシンチレータ材料を蒸着している。この場合、複数の角部６５ａを覆うマスクを新たに用意する必要がない。したがって、口腔内センサ１の製造工程が簡素化される。
【００５４】
口腔内センサ１の製造方法では、シンチレータ材料が、ＣｓＩを主成分としている。この場合、蒸着によるシンチレータ７の形成が簡易である。
【００５５】
以上、本発明の一実施形態について説明したが、本発明は、上述した実施形態に限定されるものではない。
【００５６】
口腔内センサ１は、配線ケーブル３の代わりに図示しない無線通信装置を備えていてもよい。この際、口腔内センサ１は、無線通信装置によってイメージセンサ５からの電気信号を外部に送信する。
【００５７】
ＦＯＰ６の第一主面６１及び第二主面６２は、六角形状を呈していなくてもよい。ＦＯＰ６の第一主面６１及び第二主面６２は、多角形状を呈していればよい。ＦＯＰ６の第一主面６１及び第二主面６２は、図１２に示されるように、例えば八角形状を呈していてもよい。
【００５８】
同様に、イメージセンサ５の第一主面５１及び第二主面５２は、六角形状を呈していなくてもよい。イメージセンサ５の第一主面５１及び第二主面５２は、多角形状を呈していてもよい。イメージセンサ５の第一主面５１及び第二主面５２は、例えば八角形状を呈していてもよい。
【００５９】
同様に、支持基板４の第一主面４１及び第二主面４２は、六角形状を呈していなくてもよい。支持基板４の第一主面４１及び第二主面４２は、多角形状を呈していてもよい。支持基板４の第一主面４１及び第二主面４２は、例えば八角形状を呈していてもよい。
【００６０】
シンチレータ７は、ＦＯＰ６の側面６３における各稜部６３ａを除く領域の全てに設けられていなくてもよい。シンチレータ７は、ＦＯＰ６の側面６３における各稜部６３ａを除く領域の一部には設けられていなくてもよい。ＦＯＰ６の側面６３における各稜部６３ａを除く領域の一部が、露出していてもよい。
【００６１】
シンチレータ７を設ける際には、ＦＯＰ６を支持する治具３０で、全ての角部６５ａを覆わなくてもよい。治具３０は、図１３に示されるように、一部の角部６５ａ及びＦＯＰ６の辺部６５ｂの一部を覆うと共に、ＦＯＰ６を支持してもよい。この際、ＦＯＰ６の他の角部６５ａは、マスク４０によって覆われていればよい。また、治具３０によって覆われて支持される辺部６５ｂの上記一部の位置は、辺部６５ｂ上の様々な位置とすることができる。例えば、辺部６５ｂの上記一部は、互いに隣り合う角部６５ａの間の辺部６５ｂのうち、いずれの辺部６５ｂ上に位置していてもよい。
【符号の説明】
【００６２】
１…口腔内センサ、５…イメージセンサ、５ａ…光検出領域、６…ＦＯＰ、７…シンチレータ、８…ケース、９…緩衝材、３０…治具、４０…マスク、６１…第一主面、６２…第二主面、６３…側面、６３ａ…稜部、６４，６５…縁、６５ａ…角部、６５ｂ…辺部。
【図１】
2019045175.tif 000003
【図２】
2019045175.tif 000004
【図３】
2019045175.tif 000005
【図４】
2019045175.tif 000006
【図５】
2019045175.tif 000007
【図６】
2019045175.tif 000008
【図７】
2019045175.tif 000009
【図８】
2019045175.tif 000010
【図９】
2019045175.tif 000011
【図１０】
2019045175.tif 000012
【図１１】
2019045175.tif 000013
【図１２】
2019045175.tif 000014
【図１３】
2019045175.tif 000015